(57)【要約】【課題】情報端末に向けて一群の画像を好適に配信するデジタルカメラの提供。【解決手段】デジタルカメラは、被写体を撮像して撮像画像データを生成し、撮像画像データに関連する関連データを生成し、撮像画像データに関連データと撮像日時とを関連付けて記憶し、記憶されている撮像画像データと、当該撮像画像データに関連付けられている関連データとを撮像日時順に並べた再生画面に関する第１構造化文書を生成し、第１構造化文書を外部情報端末へ送信すると共に、第１構造化文書に基づいた外部情報端末の送信要求に応じて再生画面に関する第１構造化文書で指定された画像データと関連データとを送信し、再生画面に関して、第１構造化文書で指定された画像データと関連データとを含む第２構造化文書を生成し、外部情報端末から第２構造化文書の送信要求を受信し、送信要求に応じて、再生画面に関する第２構造化文書を外部情報端末へ送信する。【選択図】図２
2015154312.tif 000002
【特許請求の範囲】
【請求項１】
被写体を撮像して撮像画像データを生成する撮像画像データ生成手段と、
前記撮像画像データに関連する関連データを生成する関連データ生成手段と、
前記撮像画像データに前記関連データと撮像日時とを関連付けて記憶する記憶手段と、
前記記憶手段に記憶されている前記撮像画像データと、当該撮像画像データに関連付けられている前記関連データとを前記撮像日時順に並べた再生画面に関する第１の構造化文書を生成する第１構造化文書生成手段と、
前記再生画面に関する前記第１の構造化文書を外部情報端末へ送信すると共に、前記第１の構造化文書に基づいた前記外部情報端末の送信要求に応じて前記再生画面に関する前記第１の構造化文書で指定された前記画像データと前記関連データとを送信する第１構造化文書送信手段と、
前記再生画面に関して、前記第１の構造化文書で指定された前記画像データと前記関連データとを含む第２の構造化文書を生成する第２構造化文書生成手段と、
前記外部情報端末から前記第２の構造化文書の送信要求を受信する送信要求受信手段と、
前記送信要求に応じて、前記再生画面に関する前記第２の構造化文書を前記外部情報端末へ送信する第２構造化文書送信手段と、
を備えることを特徴とするデジタルカメラ。
【請求項２】
請求項１に記載のデジタルカメラにおいて、
前記第１の構造化文書は、ＨＴＭＬ文書であり、
前記第２の構造化文書は、ＰＤＦ文書であることを特徴とするデジタルカメラ。
【発明の詳細な説明】
【技術分野】
【０００１】
本発明は、デジタルカメラに関する。
【背景技術】
【０００２】
コメント等の情報を含む画像データをインターネットから取得して、その画像データに基づいてＨＴＭＬ文書を作成し、クライアントへそのＨＴＭＬ文書と画像データとを配信するサーバが知られている（特許文献１）。
【先行技術文献】
【特許文献】
【０００３】
【特許文献１】特開２００２−３４２０６３号公報
【発明の概要】
【発明が解決しようとする課題】
【０００４】
本発明は、デジタルカメラを用いて、デジタルカメラと通信可能な情報端末に向けて一群の画像を好適に配信するシステムの提供を目的とする。
【課題を解決するための手段】
【０００５】
デジタルカメラは、被写体を撮像して撮像画像データを生成する撮像画像データ生成手段と、撮像画像データに関連する関連データを生成する関連データ生成手段と、撮像画像データに関連データと撮像日時とを関連付けて記憶する記憶手段と、記憶手段に記憶されている撮像画像データと、当該撮像画像データに関連付けられている関連データとを撮像日時順に並べた再生画面に関する第１の構造化文書を生成する第１構造化文書生成手段と、再生画面に関する第１の構造化文書を外部情報端末へ送信すると共に、第１の構造化文書に基づいた外部情報端末の送信要求に応じて再生画面に関する第１の構造化文書で指定された画像データと関連データとを送信する第１構造化文書送信手段と、再生画面に関して、第１の構造化文書で指定された画像データと関連データとを含む第２の構造化文書を生成する第２構造化文書生成手段と、外部情報端末から第２の構造化文書の送信要求を受信する送信要求受信手段と、送信要求に応じて、再生画面に関する第２の構造化文書を外部情報端末へ送信する第２構造化文書送信手段と、を備えることを特徴とする。
【発明の効果】
【０００６】
デジタルカメラを用いて、デジタルカメラと通信可能な情報端末に向けて一群の画像を好適に配信することができる。
【図面の簡単な説明】
【０００７】
【図１】本発明の一実施の形態によるデジタルカメラを備える画像配信システムに関するブロック図である。
【図２】本発明の一実施の形態によるデジタルカメラのカメラ側制御部の機能ブロック図である。
【図３】第１の構造化文書に基づいて情報端末で表示された再生画面の一例を示す。
【図４】本発明の一実施の形態によるデジタルカメラから情報端末への再生画面の配信処理に関するフローチャートである。
【発明を実施するための形態】
【０００８】
図１は、本発明の一実施の形態によるデジタルカメラを備える画像配信システムに関するブロック図である。図１に示す画像配信システム３は、本発明の一実施の形態によるデジタルカメラ１と、ノートＰＣ、スマートフォン、電子ブックリーダ、デジタルフォトフレームなどの情報端末２とを備える。
【０００９】
デジタルカメラ１は、カメラ側制御部１０と、撮像部１１と、カメラ側記憶部１２と、カメラ側通信部１３と、カメラ側表示部１４と、カメラ側操作部１５とを備える。
【００１０】
カメラ側制御部１０は、ＣＰＵ、画像処理用のＡＳＩＣ等を有し、カメラ側記憶部１２などに記憶されたプログラムを実行することにより、デジタルカメラ１の全体の動作を制御すると共に、後述する構造化文書を生成する処理を実行する。構造化文書とは、文書の内容、たとえば節、見出し、段落、図、表などが論理的な単位構成で表され、それぞれの論理的な単位構成が特定の文法に従って配置されるものである。たとえば、ＨＴＭＬ、ＸＭＬなどのマークアップ言語で記載された文書、ＰＤＦのようにレイアウトに関する情報を保持した文書などが構造化文書に含まれる。
【００１１】
撮像部１１は、撮影光学系、撮像素子を有し、被写体像を撮像する。そして、撮像によって得られた画像信号をカメラ側制御部１０へ出力する。カメラ側制御部１０は、この画像信号に基づいて所定の画像形式、たとえばＪＰＥＧ形式の撮像画像データを生成する。
【００１２】
カメラ側記憶部１２は、ＳＤＲＡＭやフラッシュメモリが含まれる。ＳＤＲＡＭは、揮発性のメモリであって、カメラ側制御部１０がプログラム実行時にプログラムを展開するためのワークメモリとして使用されると共に、データを一時的に記録するためのバッファメモリとして使用される。また、フラッシュメモリは、不揮発性のメモリであって、カメラ側制御部１０が実行するプログラムのデータや、プログラム実行時に読み込まれる種々のパラメータなどが記録されている。
【００１３】
カメラ側通信部１３は、情報端末２との間で各種情報の送受信を行う。たとえば、カメラ側通信部１３は、Ｗｉ−Ｆｉ（登録商標）などを用いてアクセスポイント（不図示）と接続して、そのアクセスポイントを経由したインターネット接続により情報端末２との間で各種情報の送受信を行う。
【００１４】
カメラ側表示部１４は、たとえばデジタルカメラ１の背面に設けられた液晶モニタであって、撮像画像データの再生画像、デジタルカメラ１の設定に関するメニュー画面などが表示される。
【００１５】
カメラ側操作部１５は、使用者によって操作される種々の入力部材であって、たとえば電源ボタン、レリーズボタン、ズームボタン、十字キー、決定ボタン、再生ボタン、削除ボタンなどである。
【００１６】
情報端末２は、端末側制御部２０と、端末側記憶部２１と、端末側通信部２２と、端末側表示部２３と、端末側操作部２４とを備える。
【００１７】
端末側制御部２０は、ＣＰＵなどを有し、端末側記憶部２１などに記憶されたプログラムを実行することにより、情報端末２の全体の動作を制御すると共に、前述した構造化文書を表示するためのアプリケーション、たとえばウェブブラウザアプリケーションを実行することができる。
【００１８】
端末側記憶部２１は、ＳＤＲＡＭやフラッシュメモリが含まれる。ＳＤＲＡＭは、揮発性のメモリであって、端末側制御部２０がプログラム実行時にプログラムを展開するためのワークメモリとして使用されると共に、データを一時的に記録するためのバッファメモリとして使用される。また、フラッシュメモリは、不揮発性のメモリであって、端末側制御部２０が実行するプログラムのデータや、プログラム実行時に読み込まれる種々のパラメータ、各種構造化文書などが記録されている。
【００１９】
端末側通信部２２は、Ｗｉ−Ｆｉ（登録商標）などを用いて、デジタルカメラ１との間で各種情報の送受信を行う。
端末側表示部２３は、たとえば液晶モニタであって、デジタルカメラ１の設定に関するメニュー画面、各種アプリケーションの実行画面などが表示される。
端末側操作部２４は、使用者によって操作される種々の入力部材であって、たとえばタッチパネル、キーボード、マウス、電源ボタンなどである。
【００２０】
図２は、デジタルカメラ１のカメラ側制御部１０の機能ブロック図である。デジタルカメラ１のカメラ側制御部１０は、カメラ側記憶部１２に記憶されているプログラムを実行することにより、撮像画像データ生成部１０１と、関連データ生成部１０２と、グループ登録部１０３と、第１構造化文書生成部１０４と、第２構造化文書生成部１０５として機能する。
【００２１】
撮像画像データ生成部１０１は、撮像部１１が出力した画像信号に基づいて、撮像画像データ１１０を生成する。撮像画像データ生成部１０１は、不図示の撮像日時取得手段により取得された被写体を撮像したときの日時に関する撮像日時情報を取得し、その撮像日時情報をその撮像画像データ１１０に関連付けてカメラ側記憶部１２に記憶する。たとえば、撮像画像データ生成部１０１は、撮像日時情報を撮像画像データ１１０の付加情報として記憶する。
【００２２】
関連データ生成部１０２は、カメラ側操作部１５を用いた入力操作などに基づいて、撮像画像データ１１０に関連する関連データ１１１、たとえばコメントに関するテキストデータを生成する。具体的には、たとえば、関連データ生成部１０２は、カメラ側表示部１４にキーボードを表示して、ユーザにコメントを入力させて、入力されたコメントに関するテキストデータを関連データ１１１として生成する。生成された関連データ１１１は、撮像画像データ１１０に関連付けてカメラ側記憶部１２に記憶される。
【００２３】
グループ登録部１０３は、関連データ１１１が関連付けられた撮像画像データ１１０を所定の画像グループに登録する。画像グループとは、関連データ１１１が関連付けられた１以上の撮像画像データ１１０を撮像日時、主要被写体の種別（人物、風景）などによってグループ分けしたものである。なお、撮像画像データ１１０を登録するグループは、予め用意された画像グループの中からユーザが任意の基準で定めることにしてもよい。
【００２４】
各撮像画像データ１１０が登録された画像グループは、グループ情報１１２によって管理される。グループ情報１１２は、カメラ側記憶部１２に記憶されており、それぞれ画像グループのタイトルと、その画像グループに登録された撮像画像データ１１０を参照するためのアクセス情報とを含む。アクセス情報とは、たとえば撮像画像データ１１０の絶対パスである。
【００２５】
カメラ側制御部１０は、再生する撮像画像データ１１０を画像グループ単位で読み出して、それぞれに関連付けられた関連データと、読み出した撮像画像データ１１０とが撮像日時順に表示される再生画面を生成する。
【００２６】
第１構造化文書生成部１０４は、ＨＴＭＬなど、第１のデータ形式で再生画面を構成した第１構造化文書１１３を生成する。第１のデータ形式は、再生画面のレイアウトに関する情報と、撮像画像データ１１０など、再生画面を構成する他のデータを参照するためのアクセス情報とを有する。第１構造化文書１１３に基づいて再生画面を表示する際には、アクセス情報に基づいて撮像画像データ１１０などを参照する必要があるが、リアルタイムで再生画面を更新する場合などに好適に差分更新を行うことができる。
【００２７】
第２構造化文書生成部１０５は、ＰＤＦなど、第２のデータ形式で再生画面を構成した第２構造化文書１１４を生成する。第２のデータ形式は、再生画面のレイアウトに関する情報と、撮像画像データ１１０とを有する。前述したとおり、第１構造化文書１１３に基づいて再生画面を表示する際には、アクセス情報に基づいて撮像画像データ１１０などを参照する必要があるが、第２構造化文書１１４に基づいて再生画面を表示する際には、他のデータを参照する必要がない。すなわち、第２構造化文書１１４単独で再生画面を表示することができる。
【００２８】
カメラ側制御部１０は、第１構造化文書１１３に基づいてカメラ側表示部１４（図１）に再生画面を表示させる時系列再生モードを有する。また、カメラ側制御部１０は、情報端末２（図１）からの要求に応じて、カメラ側通信部１３（図１）を介して情報端末２へ第１構造化文書１１３を送信して、端末側表示部２３（図１）で再生画面を表示させる再生画面配信モードをさらに有する。
【００２９】
図３は、第１構造化文書１１３に基づいて端末側表示部２３で表示された再生画面の一例を示す。図３に例示される再生画面２００の上部にはタイトル表示部２０１が配置されており、画像グループのタイトル、たとえば「タイトル１」が表示されている。
【００３０】
タイトル表示部２０１の下には、スクロールバー２０５が表示されると共に、第１の撮像画像表示部２０２ａと、第２の撮像画像表示部２０２ｂとが表示される。第１の撮像画像表示部２０２ａには、タイトル１の画像グループに登録されている画像１−１が表示され、第２の撮像画像表示部２０２ｂには、タイトル１の画像グループに登録されている画像のうち撮像日時が画像１−１よりも後の画像１−２が表示されている。第１の画像表示部２０２ａの直上には、撮像日時表示部２０３ａを有し、画像１−１の撮像日時が表示されている。第２の画像表示部２０２ｂの直上には、第２の撮像日時表示部２０３ｂを有し、画像１−２の撮像日時が表示されている。第１の画像表示部２０２ａの直下には、コメント表示部２０４ａを有し、画像１−１に関する撮像画像データ１１０に関連付けられている関連データ１１１に基づきコメント１−１が表示されている。第２の画像表示部２０２ｂの直下には、コメント表示部２０４ｂを有し、画像１−２に関する撮像画像データ１１０に関連付けられている関連データ１１１に基づきコメント１−２が表示されている。
【００３１】
ユーザがスクロールバー２０５を下方向に操作すると、第１の撮像画像データ１１０に関する表示、すなわち画像２０２ａ、撮像日時表示２０３ａ、コメント表示２０４ａが画面外に消えて、第２の撮像画像データ１１０に関する表示が上に移動し、第２の撮像画像データ１１０よりも撮像日時が遅い第３の撮像画像データ１１０に関する表示が新たに表示される。
【００３２】
再生画面２００の最下部には、ダウンロードボタン２０６が配置されている。ダウンロードボタン２０６は、端末側表示部２３に表示中の再生画面２００に関する第２構造化文書１１４をダウンロードするためのボタンである。ユーザによりダウンロードボタン２０６が選択されると、再生画面２００に関する第２構造化文書１１４の送信要求が情報端末２（図１）からデジタルカメラ１（図１）へ送信される。
【００３３】
図４は、デジタルカメラ１から情報端末２への再生画面の配信処理に関するフローチャートである。図４に示す配信処理の初期状態では、複数の撮像画像データ１１０と、それらの撮像画像データ１１０にそれぞれ関連する複数の関連データ１１１とがカメラ側記憶部１２に記憶され、それらの撮像画像データ１１０が登録された画像グループに関する情報がグループ情報１１２に記憶されているものとする。
【００３４】
ステップＳ３０１では、カメラ側制御部１０は、再生画面を生成する画像グループを選択する。たとえば、カメラ側制御部１０は、カメラ側記憶部１２に記憶されているグループ情報１１２（図２）の中に含まれる複数の画像グループのタイトルをリスト状にカメラ側表示部１４に表示して、ユーザに所望の画像グループを一つ選択させることにすればよい。デジタルカメラ１でユーザに所望の画像グループを一つ選択させる代わりに、カメラ側制御部１０は、カメラ側記憶部１２にグループ情報１１２（図２）が記憶されている画像グループのタイトルを情報端末２（図１）に送信して、情報端末２を用いてユーザに画像グループを選択させることにしてもよい。
【００３５】
ステップＳ３０２では、カメラ側制御部１０は、ステップＳ３０１で選択された画像グループに登録されている複数の撮像画像データ１１０をカメラ側記憶部１２から取得する。
ステップＳ３０３では、カメラ側制御部１０は、ステップＳ３０２で取得した複数の撮像画像データ１１０の各々に関連付けられている関連データ１１１をカメラ側記憶部１２から取得する。
ステップＳ３０４では、カメラ側制御部１０は、第１構造化文書生成部１０４として、ステップＳ３０２で取得した複数の撮像画像データ１１０と、ステップＳ３０３で取得した関連データ１１１とに基づいて、第１構造化文書１１３を生成する。
【００３６】
ステップＳ３０５では、カメラ側制御部１０は、ステップＳ３０４で生成した第１構造化文書１１３を情報端末２へ送信する。
第１構造化文書１１３を受信した情報端末２では、端末側制御部２０がステップＳ４０１の処理を開始する。
【００３７】
ステップＳ４０１では、端末側制御部２０は、受信した第１構造化文書１１３に基づいて、再生画面の表示に必要となる撮像画像データ１１０、関連データ１１１等の送信をデジタルカメラ１に要求する。
ステップＳ３０６では、カメラ側制御部１０は、端末側制御部２０からの撮像画像データ１１０、関連データ１１１等の送信の要求に応じて、適宜撮像画像データ１１０、関連データ１１１等を情報端末２へ送信する。
端末側制御部２０は、送信された撮像画像データ１１０、関連データ１１１等を受信して、それらの情報を用いて再生画面（たとえば、図３）を表示する。なお、送信された撮像画像データ１１０、関連データ１１１等をキャッシュなどに更に記憶することにしてもよい。
【００３８】
ステップＳ４０２では、端末側制御部２０は、再生画面中のダウンロードボタン２０６が操作されたか否かを判定する。ダウンロードボタン２０６が操作されていない場合はステップＳ４０１の処理に戻り、ダウンロードボタン２０６が操作されている場合はステップＳ４０３の処理に進む。
【００３９】
ステップＳ４０３では、端末側制御部２０は、第２構造化文書１１４の送信を要求する。
ステップＳ３０７では、カメラ側制御部１０は、第２構造化文書１１４の送信が要求されたか否かを判定する。カメラ側制御部１０は、第２構造化文書１１４の送信が要求されるまでステップＳ３０７の処理を繰り返し、第２構造化文書１１４の送信が要求されるとステップＳ３０８の処理に進む。
【００４０】
ステップＳ３０８では、カメラ側制御部１０は、ステップＳ３０２で取得した複数の撮像画像データ１１０と、ステップＳ３０３で取得した関連データ１１１とを含むような第２構造化文書１１４を生成する。
ステップＳ３０９では、カメラ側制御部１０は、ステップＳ３０８で生成した第２構造化文書１１４を情報端末２へ送信して、図４に示すカメラ側制御部１０による処理を終了する。
ステップＳ４０４では、端末側制御部２０は、ステップＳ３０９で送信された第２構造化文書１１４を受信する。
ステップＳ４０５では、端末側制御部２０は、ステップＳ４０４で受信した第１構造化文書１１３と第２構造化文書１１４を端末側記憶部２１に記憶して、端末側制御部２０による処理を終了する。
【００４１】
情報端末２のユーザは、端末側記憶部２１に記憶した第１構造化文書１１３と第２構造化文書１１４を状況に合わせて利用することができる。たとえば、表示機能を有するが通信機能の無い情報端末に第２構造化文書１１４を転送して再生画面を利用することができる。また、通信状態の良い環境では第１構造化文書１１３を利用して最新の関連データが反映された再生画面を表示し、通信状態の悪い環境で急いでいる場合には第２構造化文書１１４を利用することにしてもよい。
【００４２】
上述した実施の形態によれば、次の作用効果が得られる。
（１）上記の実施の形態によるデジタルカメラ１は、カメラ側制御部１０と撮像部１１とカメラ側記憶部１２とを有する。カメラ側制御部１０は、被写体を撮像した撮像部１１が出力した画像信号に基づいて撮像画像データ１１０を生成する撮像画像データ生成部１０１と、撮像画像データ１１０に関連する関連データ１１１を生成する関連データ生成部１０２と、カメラ側記憶部１２に記憶されている撮像画像データ１１０と、当該撮像画像データ１１０に関連付けられている関連データ１１１とを撮像日時順に並べた再生画面に関する第１構造化文書１１３を生成する第１構造化文書生成部１０４と、再生画面に関して、第１構造化文書１１３で指定された撮像画像データ１１０と関連データ１１１とを含む第２構造化文書１１４を生成する第２構造化文書生成部１０５と、を有する。カメラ側制御部１０は、撮像画像データ１１０に関連データ１１１と撮像日時情報とを関連付けてカメラ側記憶部１２に記憶する。カメラ側制御部１０は、再生画面に関する第１構造化文書１１３を情報端末２へ送信すると共に、第１構造化文書１１３に基づいた情報端末２の送信要求に応じて再生画面に関する第１構造化文書１１３で指定された撮像画像データ１１０と関連データ１１１とを送信し、情報端末２から第２構造化文書１１４の送信要求を受信し、第２構造化文書１１４の送信要求に応じて、再生画面に関する第２構造化文書１１４を情報端末２へ送信する。
したがって、デジタルカメラ１を用いて、デジタルカメラ１と通信可能な情報端末２に向けて一群の画像を好適に配信することができる。
【００４３】
次のような変形も本発明の範囲内であり、変形例の一つ、もしくは複数を上述の実施形態と組み合わせることも可能である。
（変形例１）
上記の実施の形態では、撮像画像データ１１０、関連データ１１１、グループ情報１１２、第１構造化文書１１３、第２構造化文書１１４をデジタルカメラ１のカメラ側記憶部１２に記憶することにしたが、メモリカードのようにデジタルカメラ１に着脱可能な記録媒体や、カメラ側通信部１３を介して通信可能な外部サーバ装置に記憶することにしてもよい。
【００４４】
（変形例２）
上記の実施の形態では、撮像部１１は、静止画像を撮像することとしたが、動画像を撮影することにしてもよい。動画像データに対してもコメントなどの関連データ１１１を関連付けてもよい。第１構造化文書生成部１０４および第２構造化文書生成部１０５は、動画像を含めた再生画面について第１構造化文書１１３および第２構造化文書１１４を生成することにしてもよい。
【００４５】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００４６】
１  デジタルカメラ
２  情報端末
３  画像配信システム
１０  カメラ側制御部
１１  撮像部
１２  カメラ側記憶部
１３  カメラ側通信部
１４  カメラ側表示部
１５  カメラ側操作部
１０１  撮像画像データ生成部
１０２  関連データ生成部
１０３  グループ登録部
１０４  第１構造化文書生成部
１０５  第２構造化文書生成部
【図１】
2015154312.tif 000003
【図２】
2015154312.tif 000004
【図３】
2015154312.tif 000005
【図４】
2015154312.tif 000006